(57)【要約】【課題】盤面板に対してレール部材を破損することがないように取付けることができる遊技機を提供すること。【解決手段】レール部材５０１は、盤面板２００に固定される固定部５０４Ｔ，５０４Ｕと、盤面板２００に固定されない部位であって可撓性を有する非固定部５０５Ａと、を備えてなり、非固定部５０５Ａは、当接部５０７Ａ〜５０７Ｆを有し、盤面板２００側には、当接部５０７Ａ〜５０７Ｆが当接可能な被当接部２０７Ａ〜２０７Ｆが設けられ、レール部材５０１を盤面板２００に取付けた状態において、当接部５０７Ａ〜５０７Ｆと被当接部２０７Ａ〜２０７Ｆとの間に空隙が形成される。【選択図】図１０
2018186868.tif 000002
【特許請求の範囲】
【請求項１】
遊技領域に遊技媒体を発射することにより遊技を行う遊技機であって、
盤面板と、
前記遊技領域を囲むように前記盤面板に取付けられ、遊技媒体を案内するレール部材と、
を備え、
前記レール部材は、
前記盤面板に固定される固定部と、
前記盤面板に固定されない部位であって可撓性を有する非固定部と、を備えてなり、
前記非固定部は、当接部を有し、
前記盤面板側には、前記当接部が当接可能な被当接部が設けられ、
前記レール部材を前記盤面板に取付けた状態において、前記当接部と前記被当接部との間に空隙が形成される
ことを特徴とする遊技機。
【発明の詳細な説明】
【技術分野】
【０００１】
本発明は、遊技領域に遊技媒体を発射することにより遊技を行う遊技機に関する。
【背景技術】
【０００２】
遊技機としてのパチンコ遊技機等にあっては、一般的に、盤面板の遊技領域を囲うように取付けられ、打球発射装置により打ち込まれた遊技媒体を案内するレール部材を備えている。
【０００３】
この種の遊技機において、合成樹脂材にて構成されたレール部材の背面側に圧入ピンを複数設け、該圧入ピンを盤面板に設けられた穴に圧入することにより、レール部材を盤面板に取付けたもの等があった（例えば、特許文献１参照）。
【先行技術文献】
【特許文献】
【０００４】
【特許文献１】特開２０１０−１３１４４４号公報
【発明の概要】
【発明が解決しようとする課題】
【０００５】
上記特許文献１に記載の遊技機では、レール部材が圧入ピンにより盤面板に固定されているため、例えば、遊技領域を流下する遊技媒体がレール部材に衝突した際にその衝撃を逃がすことができず、レール部材や圧入ピンに負荷が掛かり、破損する虞があるという問題があった。
【０００６】
本発明は、このような問題点に着目してなされたもので、盤面板に対してレール部材を破損することがないように取付けることができる遊技機を提供することを目的とする。
【課題を解決するための手段】
【０００７】
前記課題を解決するために、本発明の手段１の遊技機は、
遊技領域（例えば、遊技領域１０）に遊技媒体（例えば、遊技球Ｐ）を発射することにより遊技を行う遊技機（例えば、パチンコ遊技機１）であって、
盤面板（例えば、盤面板２００）と、
前記遊技領域を囲むように前記盤面板に取付けられ、遊技媒体を案内するレール部材（例えば、内レール５０１／第１外レール５０２／第２外レール５０３等）と、
を備え、
前記レール部材は、
前記盤面板に固定される固定部（例えば、固定部５０４Ｔ，５０４Ｕ）と、
前記盤面板に固定されない部位であって可撓性を有する非固定部（例えば、非固定部５０５Ａ〜５０５Ｃ）と、を備えてなり、
前記非固定部は、当接部（例えば、突部５０７Ａ〜５０７Ｆ／立壁部５１３）を有し、
前記盤面板側には、前記当接部が当接可能な被当接部（例えば、凹部２０７Ａ〜２０７Ｆ）が設けられ、
前記レール部材を前記盤面板に取付けた状態において、前記当接部と前記被当接部との間に空隙が形成される（例えば、突部５０７Ａ〜５０７Ｆが凹部２０７Ａ〜２０７Ｆ内に挿入された際には、突部５０７Ａ〜５０７Ｆの周囲に空隙Ｓが形成される。／立壁部５１３と第３誘導部材ユニット３０２との間に空隙（離間寸法Ｌ５）が形成される。図１１、図１２、図１３参照）
ことを特徴としている。
この特徴によれば、遊技媒体がレール部材に衝突したときに、非固定部が撓むことにより衝撃が吸収されることでレール部材の破損を抑制できるとともに、当接部が被当接部に当接することにより非固定部が大きく位置ずれすることが防止されるため、遊技媒体を安定して案内することができる。
【０００８】
本発明の手段２の遊技機は、手段１に記載の遊技機であって、
前記当接部（例えば、突部５０７Ａ〜５０７Ｆ）と前記被当接部（例えば、凹部２０７Ａ〜２０７Ｆ）とのうち一方は突部であり、他方は該突部が挿入される凹部または孔部である（突部５０７Ａ〜５０７Ｆが凹部２０７Ａ〜２０７Ｆに挿入される）
ことを特徴としている。
この特徴によれば、突部が凹部または孔部の内周に当接することにより、非固定部が大きく位置ずれすることが防止される。
【０００９】
本発明の手段３の遊技機は、手段１または２に記載の遊技機であって、
前記被当接部は、前記盤面板（例えば、盤面板２００）に設けられた構造物（例えば、第３誘導部材ユニット３０２／第１誘導部材ユニット３００／第２誘導部材ユニット３０１等）である
ことを特徴としている。
この特徴によれば、レール部材を被当接部に当接させるだけで済むため、レール部材の構造を簡素化できる。
【００１０】
本発明の手段４の遊技機は、手段３に記載の遊技機であって、
前記当接部（例えば、立壁部５１３）と前記構造物（例えば、第３誘導部材ユニット３０２）との間には空隙（例えば、離間寸法Ｌ５）が形成され、遊技媒体（例えば、ファール球Ｐ１）が前記非固定部（例えば、非固定部５０５Ａ）に衝突することで前記当接部が前記構造物に当接する（例えば、ファール球Ｐ１が非固定部５０５Ａに衝突することで立壁部５１３が第３誘導部材ユニット３０２に当接する）
ことを特徴としている。
この特徴によれば、当接部が常に被当接部に当接しないので、摩耗による劣化を抑制できる。
【００１１】
本発明の手段５の遊技機は、手段１〜４に記載の遊技機であって、
前記盤面板（例えば、盤面板２００）は、構造物（例えば、第３誘導部材ユニット３０２／第１誘導部材ユニット３００／第２誘導部材ユニット３０１／ラベル貼付部５２０を有する第２外レール５０３等）を備え、
前記構造物は、
前記レール部材（例えば、内レール５０１）を取外さなくても前記盤面板（例えば、盤面板２００）から取外すことができる第１構造物（例えば、第３誘導部材ユニット３０２等）と、
前記レール部材を取外さない限り前記盤面板から取外すことができない第２構造物（例えば、第２外レール５０３など）と、
を有する（例えば、第３誘導部材ユニット３０２などの第１構造物については、内レール５０１を取外さなくても盤面板２００から容易に取外して交換することができるようにする一方で、不正の対象となるラベルが貼付されるラベル貼付部５２０を有する第２外レール５０３など取外しを困難化したい第２構造物については、レール部材を利用して盤面板２００から取外すことを困難化する。変形例）
ことを特徴としている。
この特徴によれば、第１構造物については容易に交換することができ、第２構造物についてはレール部材を利用して取外しを困難化することができる。
【００１２】
本発明の手段６の遊技機は、手段１〜５のいずれかに記載の遊技機であって、
前記レール部材（例えば、内レール５０１／第１外レール５０２／第２外レール５０３等）は、第１部位（例えば、非固定部５０５Ａ）と該第１部位よりも強度が高い第２部位（例えば、非固定部５０５Ｂ，５０５Ｃ、固定部５０４Ｔ，５０４Ｕ）とを少なくとも有する
ことを特徴としている。
この特徴によれば、固定部や非固定部に応じた強度を持たせることができる。
【００１３】
本発明の手段７の遊技機は、手段２〜６のいずれかに記載の遊技機であって、
前記レール部材（例えば、内レール５０１／第１外レール５０２／第２外レール５０３等）における前記突部（例えば、突部５０７Ａ〜５０７Ｆ）の周囲には、溝部（例えば、溝部５０９）が形成されている
ことを特徴としている。
この特徴によれば、突部と凹部または孔部との接触によって生じる粉や屑等が溝部に入り込むことで、周囲に飛散しにくくなる。
【００１４】
尚、本発明は、本発明の請求項に記載された発明特定事項のみを有するものであってもよいし、本発明の請求項に記載された発明特定事項とともに該発明特定事項以外の構成を有するものであってもよい。
【図面の簡単な説明】
【００１５】
【図１】パチンコ遊技機を正面から見た正面図である。
【図２】主基板における回路構成の一例を示すブロック図である。
【図３】遊技盤を示す正面図である。
【図４】遊技盤の構成を斜め前から見た状態を示す分解斜視図である。
【図５】（Ａ）は内レールの構造を示す正面図、（Ｂ）は同じく背面図である。
【図６】内レールの背面側の一部を示す斜視図である。
【図７】（Ａ）は図５（Ｂ）のＡ−Ａ断面図、（Ｂ）は同じくＢ−Ｂ断面図である。
【図８】盤面板の構造を示す正面図である。
【図９】（Ａ）は図５（Ｂ）の囲み部Ａの拡大図、（Ｂ）は同じく囲み部Ｂの拡大図である。
【図１０】（Ａ）は図８のＣ−Ｃ断面図、（Ｂ）は同じくＤ−Ｄ断面図である。
【図１１】盤面板に内レールを取付けた状態における縦断面図である。
【図１２】（Ａ）は遊技球が第１経路を流下する態様を示す概略図、（Ｂ）は（Ａ）の要部拡大図、（Ｃ）は（Ａ）のＥ−Ｅ断面図である。
【図１３】（Ａ）はファール球が内レールに衝突した状態を示す概略図、（Ｂ）は（Ａ）のＦ−Ｆ断面図である。
【発明を実施するための形態】
【００１６】
本発明に係る遊技機を実施するための形態を実施例に基づいて以下に説明する。
【実施例】
【００１７】
まず、遊技機の一例であるパチンコ遊技機１の全体の構成について説明する。図１は、パチンコ遊技機を正面から見た正面図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００１８】
図１は、本実施例におけるパチンコ遊技機の正面図であり、主要部材の配置レイアウトを示す。パチンコ遊技機（以下、遊技機と略記する場合がある）１は、大別して、遊技盤２（ゲージ盤ともいう）と、該遊技盤２を支持固定する遊技機用枠３（台枠とも言う）とから構成されている。遊技盤２には、後述する案内レール５００によって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。
【００１９】
図１及び図４に示すように、遊技盤２は、アクリル樹脂、ポリカーボネート樹脂、メタクリル樹脂等の透光性を有する合成樹脂材にて正面視略四角形状に形成され、前面である遊技盤面２００Ａに障害釘（図示略）や案内レール５００等が設けられた盤面板２００と、該盤面板２００の背面側に一体的に取付けられるスペーサ部材２５０と、から主に構成されている。
【００２０】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２１】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２２】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２３】
演出表示装置５は、遊技盤２よりも背面側に配設され、盤面板２００に形成された第１孔部２０１を通して視認できるようになっており、該第１孔部２０１には、枠状のセンター飾り枠５１が設けられている。
【００２４】
演出表示装置５の表示領域の下部の左右２個所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２５】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２６】
第１特別図柄表示器４Ａ及び第２特別図柄表示器４Ｂの上方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２７】
演出表示装置５の下方には、普通入賞球装置６Ａが設けられ、演出表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板を有する普通電動役物を備え、始動領域（第２始動領域）としての第２始動入賞口を形成する。
【００２８】
第１始動入賞口を通過（進入）した遊技球が第１始動口スイッチ２２Ａによって遊技球が検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって遊技球が検出されたことに基づき、所定個数（例えば３個）の遊技球が賞球として払い出され、第２特図保留記憶数が所定の上限値（例えば「４」）以下であれば、第２始動条件が成立する。
【００２９】
図１に示すように、普通入賞球装置６Ａの右方位置には、特別可変入賞球装置７が設けられている。特別可変入賞球装置７は、図２に示すソレノイド８２によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００３０】
大入賞口を通過（進入）した遊技球が図２に示すカウントスイッチ２３によって検出されたことに基づき、所定個数（例えば１５個）の遊技球が賞球として払い出される。従って、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３１】
第２保留表示器２５Ｂの上方位置には、普通図柄表示器２０が設けられている。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３２】
遊技盤２の表面には、上記の構成以外にも、遊技球の流下方向や速度を変化させる風車及び多数の障害釘が設けられている。また、遊技領域１０の最下方には、いずれの入賞口にも進入しなかった遊技球が取り込まれるアウト口１６が設けられている。遊技機用枠３の左右上部位置には、効果音等を再生出力するためのスピーカ８Ｌ，８Ｒが設けられており、さらに遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００３３】
遊技領域１０の下方における遊技機用枠３の所定位置には、賞球として払い出された遊技球や所定の球貸機により貸し出された遊技球を、打球発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。下皿９１を形成する部材に取付けられたスティックコントローラ３１Ａの傾倒操作はコントローラセンサユニット３５Ａにて検出され、上皿９０を形成する部材に設けられたプッシュボタン３１Ｂに対してなされた押下動作はプッシュセンサ３５Ｂにて検出される。
【００３４】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００３５】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００３６】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００３７】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００３８】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００３９】
図２に示すように、演出制御基板１２は、主基板１１とは独立したサブ側の制御基板であり、中継基板１５を介して主基板１１から伝送された制御信号を受信して、演出表示装置５、スピーカ８Ｌ，８Ｒ及び演出用ＬＥＤ９、プッシュセンサ３５Ｂといった演出用の電気部品による演出動作を制御するための各種回路が搭載されている。
【００４０】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００４１】
演出表示装置５の演出図柄表示エリア５Ｌ，５Ｃ，５Ｒでは、特図ゲームが開始されることに対応して、演出図柄の変動表示が開始される。
【００４２】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。また、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００４３】
次に、遊技盤２について、図３及び図４に基づいて説明する。図３は、遊技盤を示す正面図である。図４は、遊技盤の構成を斜め前から見た状態を示す分解斜視図である。
【００４４】
図３及び図４に示すように、遊技盤２は、盤面板２００と、該盤面板２００の背面側に一体的に取付けられるスペーサ部材２５０と、から主に構成されている。盤面板２００の厚さは約１０ｍｍ程度であり、全体が透明に形成されている。また、盤面板２００は、その前面側に該盤面板２００と略平行に配置されるガラス窓５０ａとの間に遊技領域１０を形成する。
【００４５】
尚、本実施例では盤面板２００全体が透明に形成されているが、当該盤面板２００の前面側からその背面側に配設される装飾体（図示略）等を透視可能な透光性部材にて形成されていれば、半透明であってもよいし、着色されていてもよい。また、全体が透光性を有していなくても、少なくとも遊技領域１０の一部に透光部が形成されていてもよい。
【００４６】
スペーサ部材２５０は、非透光性部材により正面視略四角枠状に形成され、盤面板２００の背面周縁部が配置される取付部２５０Ａを有し、該取付部２５０Ａの前面部には、盤面板２００の位置を決定するための位置決め用ボスが複数突設されているとともに、取付ネジが螺入されるネジ孔を有する取付用ボスが複数突設されている。尚、スペーサ部材２５０における取付部２５０Ａの板厚は約１０ｍｍ程度とされているため、スペーサ部材２５０と盤面板２００とで板厚が約２０ｍｍの遊技盤２が形成されるようになっている。
【００４７】
盤面板２００には、背面側に配設される演出表示装置５の表示画面を前面側に臨ませるとともに、センター飾り枠５１が取付けられる第１孔部２０１と、特別可変入賞球装置７、普通可変入賞球装置６Ｂ及び誘導通路を有する第１誘導部材ユニット３００が取付けられる第２孔部２０２と、普通入賞球装置６Ａが取付けられる第３孔部２０３と、アウト口１６を形成する第４孔部２０４と、通過ゲート４１が取付けられる第５孔部２０５と、一般入賞口形成部材１２Ａ〜１２Ｃが取付けられる第６孔部２０６Ａ〜２０６Ｃと、が前後方向に貫通して形成されている（図８参照）。
【００４８】
また、盤面板２００の前面である遊技盤面２００Ａにおける第１誘導部材ユニット３００の右斜め上方位置には遊技球を誘導する第２誘導部材ユニット３０１が取付けられ、一般入賞口形成部材１２Ａの左方位置には、遊技球を誘導する第３誘導部材ユニット３０２が取付けられている。
【００４９】
また、遊技盤面２００Ａには、遊技領域１０の周囲に設けられる案内レール５００が取付けられている。この案内レール５００は、遊技領域１０の外縁を形成する外レールと、外レールの内側に取付けられる内レール５０１（レール部材）と、を備えている。詳しくは、外レールは、遊技領域１０の左下から右上にかけて湾曲しながら延びる第１外レール５０２と、第１外レール５０２における右端（前記発射口と反対側の端部）から下方側に所定長さ延び、そこからアウト口１６に向けて所定長さ延びる第２外レール５０３と、からなる。第１外レール５０２は、該第１外レール５０２の外側に配設されるレール飾り枠４００の背面に嵌め込まれた状態で該レール飾り枠４００を遊技盤面２００Ａに対してネジＮ１で固定することにより取付けられる。尚、図４では、説明の便宜上、実際よりもネジＮ１の数を減らして図示している。
【００５０】
また、第２外レール５０３は、遊技盤面２００Ａに対してネジＮ２により取付けられる。この第２外レール５０３の下部には、前述した第１特別図柄表示器４Ａ、第２特別図柄表示器４Ｂ、第１保留表示器２５Ａ、第２保留表示器２５Ｂ、普通図柄表示器２０、普図保留表示器２５Ｃが設けられている。また、第２外レール５０３の右側には、製造年月日等が表記された第三者機関発行の図示しないラベル（証紙）が貼付されるラベル貼付部５２０が形成されている。ラベルが貼られていない遊技機は、ホールに配置することができないため、ラベル貼付部５２０を有する第２外レール５０３は、盤面板２００から容易に取外すことができないように固定されている。
【００５１】
内レール５０１は、第２外レール５０３の左端から右側に湾曲しながら所定長さ上方に円弧状に延びている。この内レール５０１は、第２外レール５０３の左端（第２外レール５０３の下部の左端）に設けられた係止溝５０３ａに係止可能な係止爪５０１ａを備えており、係止溝５０３ａと係止爪５０１ａとの係止により第２外レール５０３に対して連結される。つまり、内レール５０１は、盤面板２００に強固に固定される第２外レール５０３とユニット化されるため、盤面板２００に安定して取付けることができる。また、内レール５０１は、後述する固定部５０４Ｔ，５０４Ｕにて遊技盤面２００Ａに対してネジＮ３により取付けられる。
【００５２】
尚、第１外レール５０２（レール飾り枠４００）、第２外レール５０３、内レール５０１がネジＮ１、ネジＮ２、ネジＮ３により盤面板２００に固定される形態について説明したが、本発明はこれに限定されるものではなく、溶接や圧入によって固定されてもよい。
【００５３】
内レール５０１と第１外レール５０２との間には、発射球通路４０１が形成され、打球発射装置から打ちこまれた遊技球Ｐが発射球通路４０１に案内されて遊技領域１０内に流入する。具体的には、遊技盤２の右下方に設けられる図示しない打球発射装置から打ち出された遊技球Ｐは、第１外レール５０２に沿って発射球通路４０１を上方に向けて移動して遊技領域１０の左上部へ誘導される。そして、遊技者が打球操作ハンドルを第１操作した場合、遊技領域１０に進入した遊技球Ｐはセンター飾り枠５１の左側の第１経路Ｋ１を流下し、遊技者が打球操作ハンドルを第１操作よりも発射強度が強くなる第２操作した場合、遊技領域１０に進入した遊技球Ｐはセンター飾り枠５１の右側の第２経路Ｋ２を流下するようになっている。
【００５４】
尚、内レール５０１の自由端（上端）には、球戻り防止装置７００が設けられている。この球戻り防止装置７００は、内レール５０１の自由端に対し揺動可能に軸支される板状の開閉部７０１を有し、開閉部７０１が、図示しない錘部により発射球通路４０１を閉塞するように付勢されている。また、開閉部７０１が発射球通路４０１を閉塞した状態にあっては、前記錘部が内レール５０１に係止しており、それ以上左回りに回動しないようになっている（図３参照）。これによれば、打球発射装置から打ちこまれた遊技球Ｐは、前記錘部による付勢に抗して開閉部７０１を跳ね上げて遊技領域１０内に流入するとともに、遊技領域１０から発射球通路４０１内に戻ろうとする遊技球Ｐは、開閉部７０１によって発射球通路４０１内への戻りが防止される。
【００５５】
次に、内レール５０１の構造について、図５〜図１３に基づいて説明する。図５は、（Ａ）は内レールの構造を示す正面図、（Ｂ）は同じく背面図である。図６は、内レールの背面側の一部を示す斜視図である。図７は、（Ａ）は図５（Ｂ）のＡ−Ａ断面図、（Ｂ）は同じくＢ−Ｂ断面図である。図８は、盤面板の構造を示す正面図である。図９は、（Ａ）は図５（Ｂ）の囲み部Ａの拡大図、（Ｂ）は同じく囲み部Ｂの拡大図である。図１０は、（Ａ）は図８のＣ−Ｃ断面図、（Ｂ）は同じくＤ−Ｄ断面図である。図１１は、盤面板に内レールを取付けた状態における縦断面図である。図１２は、（Ａ）は遊技球が第１経路を流下する態様を示す概略図、（Ｂ）は（Ａ）の要部拡大図、（Ｃ）は（Ａ）のＥ−Ｅ断面図である。図１３は、（Ａ）はファール球が内レールに衝突した状態を示す概略図、（Ｂ）は（Ａ）のＦ−Ｆ断面図である。
【００５６】
図５〜図７に示すように、内レール５０１は、非透光性の合成樹脂等を金型に充填して形成されており（所謂、射出成形）、遊技盤面２００Ａに沿って設けられるフランジ部５１２と、フランジ部５１２の一方の側端縁から立設される立壁部５１３とを有している。尚、この内レール５０１は、可撓性を有していれば、鉄板等の金属製であっても構わない。
【００５７】
内レール５０１を遊技盤面２００Ａに取付けた状態にあっては、立壁部５１３が遊技盤面２００Ａから前方側（遊技者側）に立設した状態となっている（図１０参照）。この内レール５０１は、樹脂製であり、且つ円弧状を成していることから、撓曲変形可能となっている。すなわち、非固定部５０５Ａは可撓性を有している。
【００５８】
図５に示すように、内レール５０１の長手方向（上下方向）の両端近傍には、ネジＮ３を挿通させるネジ孔５０６Ｔ，５０６Ｕが形成されており、ネジ孔５０６Ｔ，５０６Ｕの近傍は、遊技盤面２００Ａに固定される固定部５０４Ｔ，５０４Ｕとなっている。また、内レール５０１における固定部５０４Ｔ，５０４Ｕ以外の部位、つまり遊技盤面２００Ａに固定されない部位は、非固定部５０５Ａ〜５０５Ｃとなっている。そのため、内レール５０１を遊技盤面２００Ａに取付けた状態にあっては、非固定部５０５Ａ〜５０５Ｃ、特に、固定部５０４Ｔ，５０４Ｕ間の非固定部５０５Ａが撓曲変形しやすくなっている。すなわち、非固定部５０５Ａは可撓性を有している。
【００５９】
詳しくは、内レール５０１の長手方向の両端近傍には、固定部５０４Ｔ，５０４Ｕが形成されるため、内レール５０１の長手方向の両端は、立壁部５１３の立ち上り方向（前後方向）と直交する方向（左右方向）の肉厚が厚く形成されており、剛性が高くなっている。言い換えれば、内レール５０１の中間部にあたる非固定部５０５Ａ（第１部位）の肉厚は、その他の部位（第２部位）の肉厚よりも薄く形成されており、内レール５０１における立壁部５１３の立ち上り方向と直交する方向に撓曲変形しやすい。対して、内レール５０１における非固定部５０５Ｂ，５０５Ｃ、固定部５０４Ｔ，５０４Ｕ（第２部位）の肉厚は、非固定部５０５Ａの肉厚よりも厚く形成されており、非固定部５０５Ａに比べ撓曲変形しにくい。尚、非固定部５０５Ｂ，５０５Ｃの肉厚は、非固定部５０５Ａに比べ撓曲変形しにくいが、非固定部５０５Ａよりも小さな幅で若干撓曲変形可能となっている。
【００６０】
さらに、固定部５０４Ｕと、該固定部５０４Ｕ近傍の非固定部５０５Ａの一部及び非固定部５０５Ｂ（第２部位）は、その一部が肉抜きされたリブ形状となっており、例えば遊技球Ｐが衝突した際には、リブが変形して衝撃を吸収することができるとともに、内レール５０１が軽量化される。
【００６１】
また、内レール５０１には、フランジ部５１２の背面５０８側（遊技盤面２００Ａ側）に断面視十字形状の突部５０７Ａ〜５０７Ｆ（当接部）が所定間隔置きに複数（本実施例では６個）設けられている。詳しくは、図６、図７（Ｂ）、図９（Ａ）、及び図１０（Ｂ）に示すように、突部５０７Ａ〜５０７Ｆは、内レール５０１の背面５０８よりも前面側に凹んだ段部から背面側に突出するように設けられている。つまり、突部５０７Ａ〜５０７Ｆの周囲には、内レール５０１の背面５０８よりも前面側に凹んだ溝部５０９が形成されている。
【００６２】
この突部５０７Ａ〜５０７Ｆは、遊技盤面２００Ａに設けられた後述する凹部２０７Ａ〜２０７Ｆ（被当接部）に挿入されるようになっており、この突部５０７Ａ〜５０７Ｆが凹部２０７Ａ〜２０７Ｆに挿入されることにより、内レール５０１が遊技盤面２００Ａに位置決めされる（図８参照）。すなわち、突部５０７Ａ〜５０７Ｆ及び凹部２０７Ａ〜２０７Ｆは、内レール５０１を盤面板２００へ取付ける際の位置決め用の部位である。また、後述するように突部５０７Ａ〜５０７Ｆは、凹部２０７Ａ〜２０７Ｆよりも小さく形成されており、突部５０７Ａ〜５０７Ｆが凹部２０７Ａ〜２０７Ｆ内で移動可能となっている。
【００６３】
また、内レール５０１の背面５０８の所定箇所には、背面５０８から背面側に突出する凸部５１０が複数（本実施例では２４個）設けられている。尚、これら凸部５１０の遊技盤面２００Ａからの突出長さは約０．１ｍｍ〜２ｍｍ程度とされている。
【００６４】
また、図６及び図９（Ｂ）に示すように、内レール５０１の背面５０８における凸部５１０が近接して配置される箇所には、近接する凸部５１０間に小穴５１１が複数形成されている。図９及び図１０（Ｂ）に示すように、盤面板２００に内レール５０１を取付けた状態にあっては、凸部５１０が遊技盤面２００Ａに当接し、内レール５０１の背面５０８は、遊技盤面２００Ａから離間している。尚、凸部５１０にあっては、説明の便宜上、実際の厚みよりも厚く図示している。
【００６５】
尚、射出成形の一例として、半割の金型片と、一方の金型片に所定箇所に形成される複数の貫通孔を介して一方の金型片の外面側から内面側に向けて進退可能なイジェクトピンと、を用い、半割の金型片の間に樹脂を充填し、樹脂が硬化した後、一方の金型片に樹脂を保持したまま他方の金型片を取外し、その後イジェクトピンにより樹脂を押出して一方の金型片から取外す方法がある。この方法を用いた場合、半割の金型の間に樹脂を充填した際に、貫通孔とイジェクトピンとの間に形成された隙間に入り込んだ部分、もしくはバリにより形成された部分は、内レールの背面から突出する。この突出部分を凸部として利用してもよい。
【００６６】
図８〜図１１に示すように、盤面板２００の左側には、突部５０７Ａ〜５０７Ｆと対応する位置に凹部２０７Ａ〜２０７Ｆが形成されており、内レール５０１の固定部５０４Ｔ，５０４Ｕを遊技盤面２００Ａに対して固定した際には、突部５０７Ａ〜５０７Ｆが凹部２０７Ａ〜２０７Ｆ内に挿入されるようになっている。突部５０７Ａ〜５０７Ｆが凹部２０７Ａ〜２０７Ｆ内に挿入された際には、突部５０７Ａ〜５０７Ｆが凹部２０７Ａ〜２０７Ｆ内で移動可能となっている。
【００６７】
詳しくは、図１１に示すように、突部５０７Ａ〜５０７Ｆの直径Ｌ１は、約４．６ｍｍとなっている（Ｌ１＝４．６ｍｍ）。対して、内レール５０１の上方側（固定部５０４Ｔ近傍）の突部５０７Ａ，５０７Ｂが挿入される凹部２０７Ａ，２０７Ｂ、及び内レール５０１の下方側（固定部５０４Ｕ近傍）の突部５０７Ｆが挿入される凹部２０７Ｆの直径Ｌ２は、約５．３ｍｍとなっている（Ｌ２＝５．３ｍｍ）。さらに、内レール５０１の中間部（非固定部５０５Ａ）に設けられた突部５０７Ｃ〜５０７Ｅが挿入される凹部２０７Ｃ〜２０７Ｅの直径Ｌ３は、約５．７ｍｍとなっている（Ｌ３＝５．７ｍｍ）。すなわち、突部５０７Ａ〜５０７Ｆが凹部２０７Ａ〜２０７Ｆ内に挿入された際には、突部５０７Ａ〜５０７Ｆの側周面と凹部２０７Ａ〜２０７Ｆの内周面との間に空隙Ｓが形成されるため、突部５０７Ａ〜５０７Ｆが凹部２０７Ａ〜２０７Ｆ内で移動可能となっているとともに、突部５０７Ａ〜５０７Ｆが凹部２０７Ａ〜２０７Ｆの内周面に当接することにより移動が規制される。
【００６８】
さらに、突部５０７Ａ，５０７Ｂ，５０７Ｆは、固定部５０４Ｔ，５０４Ｕの近傍に設けられているため、内レール５０１の撓曲変形時における移動量が突部５０７Ｃ〜５０７Ｅに比べ小さい。よって、凹部２０７Ａ，２０７Ｂ，２０７Ｆの直径Ｌ２は、突部５０７Ｃ〜５０７Ｅが挿入される凹部２０７Ｃ〜２０７Ｅの直径Ｌ３に比べて小さく形成されている（Ｌ２＜Ｌ３）。
【００６９】
また、盤面板２００に内レール５０１を取付けた状態にあっては、突部５０７Ａ，５０７Ｂ，５０７Ｆは、凹部２０７Ａ，２０７Ｂ，２０７Ｆの略中央に配置されている。つまり、空隙Ｓは、突部５０７Ａ，５０７Ｂ，５０７Ｆの周囲に形成され、突部５０７Ａ，５０７Ｂ，５０７Ｆは、凹部２０７Ａ，２０７Ｂ，２０７Ｆの内周面のどこにも接していない。また、突部５０７Ｃ〜５０７Ｅは、凹部２０７Ｃ〜２０７Ｅの右側に寄せて配置されており、凹部２０７Ｃ〜２０７Ｅの左側に比較的大きな空隙Ｓが形成されている（図１０（Ａ）及び図１２（Ｂ）参照）。これは、後述するように、遊技球Ｐが発射球通路４０１側から内レール５０１に衝突するよりも、第１経路Ｋ１側から衝突する頻度が高いことから、突部５０７Ｃ〜５０７Ｅの左側への移動量を優先的に確保するためである。
【００７０】
より詳しくは、図１２（Ｃ）及び図１３（Ｂ）に示すように、突部５０７Ｃ，５０７Ｄは、凹部２０７Ｃ，２０７Ｄの右側の内周面に当接している。つまり、突部５０７Ｃ，５０７Ｄの側周面の一部が凹部２０７Ｃ，２０７Ｄの右側の内周面に当接し、それ以外に空隙Ｓが形成される。また、前述した第３誘導部材ユニット３０２の近くに配置される突部５０７Ｅは、凹部２０７Ｅの右側の内周面から離間寸法Ｌ４分離間している。つまり、空隙Ｓは、突部５０７Ｅの周囲に設けられ、凹部２０７Ｅの内周面のどこにも接していないが、突部５０７Ｅよりも左側に大きく形成されている。また、第３誘導部材ユニット３０２と内レール５０１とは、離間寸法Ｌ４よりも短い離間寸法Ｌ５分離間している（Ｌ４＞Ｌ５）。これは、突部５０７Ｅの近傍に対して、後述するファール球Ｐ１が発射球通路４０１側から内レール５０１に衝突した際の突部５０７Ｅの右側への移動量を優先的に確保するためである。尚、図１２（Ｃ）及び図１３（Ｂ）では、説明の便宜上、離間寸法Ｌ４及び離間寸法Ｌ５を実際よりも大きく図示している。
【００７１】
図１２（Ａ）に示すように、第１経路Ｋ１を流下する遊技球Ｐは、内レール５０１に衝突することがある。また、打球発射装置から打ち出された遊技球Ｐは、基本的に第１外レール５０２に沿って遊技領域１０内に流入するため、発射球通路４０１側から内レール５０１に衝突するよりも、第１経路Ｋ１側から衝突する頻度が高くなっている。尚、ここでは、内レール５０１における突部５０７Ｃの近傍に遊技球Ｐが衝突した例のみ説明し、それ以外の箇所（突部５０７Ａ，５０７Ｂ，５０７Ｄ〜５０７Ｆの近傍）に遊技球Ｐが衝突した態様についての説明を省略する。
【００７２】
前述のように、突部５０７Ｃ〜５０７Ｅは、凹部２０７Ｃ〜２０７Ｅの右側に寄せて配置されており、凹部２０７Ｃ〜２０７Ｅの左側に比較的大きな空隙Ｓが形成されているため、遊技領域１０を流下する遊技球Ｐが内レール５０１に衝突した際には、内レール５０１が第１経路Ｋ１側から発射球通路４０１側（右から左）に押されて非固定部５０５Ａが撓曲変形する。図１２（Ｂ）に示すように、突部５０７Ｃは、凹部２０７Ｃの右側の内周面に寄せて挿入されているので、突部５０７Ｃが凹部２０７Ｃの左側の内周面に向けて空隙Ｓ分左側に移動するとともに、突部５０７Ｃが凹部２０７Ｃの左側の内周面に当接することで左側への移動が規制される。
【００７３】
このように、突部５０７Ｃが凹部２０７Ｃとの空隙Ｓにより移動可能となっているため、遊技球Ｐが第１経路Ｋ１から内レール５０１に衝突したときに、非固定部５０５Ａが撓むことができ、衝撃が吸収されることで内レール５０１の破損を抑制できるとともに、突部５０７Ｃが移動しても凹部２０７Ｃに当接することにより非固定部５０５Ａが大きく位置ずれすることが防止されるため、遊技球Ｐを安定して案内することができる。
【００７４】
また、突部５０７Ｃが凹部２０７Ｃ内に挿入されているため、突部５０７Ｃの移動範囲が凹部２０７Ｃ内に収まる。従って、非固定部５０５Ａが大きく位置ずれすることが確実に防止される。
【００７５】
尚、ここでは、内レール５０１における突部５０７Ｃの近傍に第１経路Ｋ１を流下する遊技球Ｐが衝突した例についてのみ説明したが、内レール５０１のいずれの位置にあっても突部５０７Ａ〜５０７Ｆが移動して突部５０７Ｃと同様の効果を得ることができる。
【００７６】
また、図１３（Ａ）に示すように、遊技者の打球操作ハンドルが弱かった場合には、遊技球Ｐが遊技領域１０に進入せずに、発射球通路４０１内を逆流することがある（所謂、ファール球Ｐ１）。また、ファール球Ｐ１が発生した際には、ファール球Ｐ１が打球発射装置に戻る前に次の遊技球Ｐ２が発射される場合があり、この場合、逆流するファール球Ｐ１と発射された遊技球Ｐ２が衝突し、はじかれたファール球Ｐ１（または発射された遊技球Ｐ）が内レール５０１に衝突する。これにより、内レール５０１が発射球通路４０１側から第１経路Ｋ１側（左から右）に向けて押されるようになる。尚、ファール球Ｐ１は、打球発射装置の発射タイミングにより内レール５０１における突部５０７Ｅの付近で遊技球Ｐ２と衝突することが多いことから、ここでは、内レール５０１における突部５０７Ｅの近傍にファール球Ｐ１が衝突した態様について説明する。
【００７７】
図１２（Ｃ）及び図１３（Ｂ）のように、第３誘導部材ユニット３０２（第１構造物）の近くに配置される突部５０７Ｅは、凹部２０７Ｅの右側の内周面から離間寸法Ｌ４分離間しているため、突部５０７Ｅは、右方向に移動する。また、第３誘導部材ユニット３０２と内レール５０１との離間幅は、離間寸法Ｌ４よりも短い離間寸法Ｌ５となっているため、突部５０７Ｅは、凹部２０７Ｅの右側の内周面に当接する前に内レール５０１の立壁部５１３（当接部）が第３誘導部材ユニット３０２の外面に当接する。つまり、ファール球Ｐ１が非固定部５０５Ａに衝突することで立壁部５１３が第３誘導部材ユニット３０２に当接する。これにより、非固定部５０５Ａの大きな位置ずれが防止される。
【００７８】
このように、非固定部５０５Ａが第１経路Ｋ１側に撓曲変形した際には、突部５０７Ｅよりも強度の高い非固定部５０５Ａの立壁部５１３が、遊技盤面２００Ａに取付けられた構造物である第３誘導部材ユニット３０２に当接するため、非固定部５０５Ａの撓曲変形を安定して規制できる。また、非固定部５０５Ａが第１経路Ｋ１側に撓曲変形しないときには、立壁部５１３が第３誘導部材ユニット３０２に当接しないので、摩耗による劣化を抑制できる。また、第３誘導部材ユニット３０２の周辺を流下する遊技球Ｐが衝突した場合、一旦発射球通路４０１側に湾曲し、その後弾性変形により復帰した立壁部５１３が遊技領域１０側へ大きく湾曲することが防止される。
【００７９】
また、第３誘導部材ユニット３０２と内レール５０１とは、離間しているので、例えば、経年による劣化や新しい遊技盤へのモデルチェンジ等にあたって、盤面板２００から内レール５０１を取外さなくても第３誘導部材ユニット３０２を容易に交換・変更することができる。
【００８０】
また、前述したように、突部５０７Ａ，５０７Ｂは、凹部２０７Ａ，２０７Ｂの略中央に配置されているので、ファール球Ｐ１が内レール５０１の上部（突部５０７Ａ，５０７Ｂ近傍）に衝突した際には、非固定部５０５Ｂが第１経路Ｋ１側に撓曲変形することが可能となっている。
【００８１】
尚、本実施例では、ファール球Ｐ１は、一般的に内レール５０１における突部５０７Ｅの付近で遊技球Ｐ２と衝突することが多いことから、内レール５０１における突部５０７Ｅの近傍にファール球Ｐ１が衝突した形態を例示したが、突部５０７Ｃ，５０７Ｄも凹部２０７Ｃ，２０７Ｄの右側の内周面から離して配置してもよい。
【００８２】
また、前述のように、本実施例の盤面板２００は、アクリル樹脂、ポリカーボネート樹脂、メタクリル樹脂等の透光性を有する合成樹脂材により構成されているため、その特性上、摩擦等により粉塵が生じやすくなっている。図９に示すように、盤面板２００に内レール５０１を取付けた状態にあっては、凸部５１０が遊技盤面２００Ａに当接し、内レール５０１の背面５０８は、遊技盤面２００Ａから離間している。
【００８３】
このように、盤面板２００に内レール５０１を取付けた状態にあっては、遊技盤面２００Ａと内レール５０１の背面５０８とが面当接せず、凸部５１０のみが遊技盤面２００Ａに部分的に当接しているので、遊技盤面２００Ａと内レール５０１との摩擦により盤面板２００から生じる粉塵を極力減らすことができるため、遊技盤面２００Ａの表面が粉塵により汚れることを抑制できる。
【００８４】
また、凸部５１０と遊技盤面２００Ａとの当接により生じた粉塵の一部は、凸部５１０近傍に配設される小穴５１１内に入り込むため、周囲に飛散しにくくなる。さらに、突部５０７Ａ〜５０７Ｆと凹部２０７Ａ〜２０７Ｆとの当接により生じた粉塵の一部は、突部５０７Ａ〜５０７Ｆの周囲に設けられる溝部５０９内に入り込むため、周囲に飛散しにくくなる。従って、遊技盤２のメンテナンス作業が容易である。また、前述のように、内レール５０１は、透光性を有していないため、フランジ部５１２の背面５０８に付着する粉塵や小穴５１１及び溝部５０９内に入り込んだ粉塵が内レール５０１を透して前方側から露見しないため、見栄えが向上する。尚、内レール５０１は、粉塵が前方側から目立ちにくければよいので、例えば、半透光性を有する樹脂や有色の樹脂等から構成されていてもよい。また、透光性部材の表面に、非透光性の樹脂を塗装してもよい。
【００８５】
尚、本実施例では、凸部５１０における遊技盤面２００Ａとの当接面（先端面）が平坦に形成される形態を例示したが、本発明はこれに限定されるものではなく、凸部の当接面に凹状部等を設け、凸部と遊技盤面２００Ａとの当接により生じた粉塵の一部が該凹状部内に入り込むようにしてもよく、このようにすることで、粉塵の飛散をより抑制できる。
【００８６】
以上説明したように、遊技領域１０に遊技球Ｐを発射することにより遊技を行うパチンコ遊技機１であって、盤面板２００と、遊技領域１０を囲むように盤面板２００に取付けられ、遊技球Ｐを案内する内レール５０１と、を備え、内レール５０１は、盤面板２００に固定される固定部５０４Ｔ，５０４Ｕと、盤面板２００に固定されない部位であって可撓性を有する非固定部５０５Ａ〜５０５Ｃと、を備えてなり、非固定部５０５Ａ〜５０５Ｃは、突部５０７Ａ〜５０７Ｆを有し、盤面板２００側には、突部５０７Ａ〜５０７Ｆが当接可能な凹部２０７Ａ〜２０７Ｆが設けられ、内レール５０１を盤面板２００に取付けた状態において、突部５０７Ａ〜５０７Ｆの側端面と凹部２０７Ａ〜２０７Ｆの内周面との間に空隙Ｓが形成される。
【００８７】
このようにすることで、遊技球Ｐが内レール５０１に衝突したときに、突部５０７Ａ〜５０７Ｆが凹部２０７Ａ〜２０７Ｆ内で移動でき、非固定部５０５Ａ〜５０５Ｃが撓むことにより衝撃が吸収されることで内レール５０１の破損を抑制できるとともに、突部５０７Ａ〜５０７Ｆの側端面が凹部２０７Ａ〜２０７Ｆの内周面に当接することにより、内レール５０１を固定部５０４Ｔ，５０４Ｕのみで固定した形態に比べ、非固定部５０５Ａ〜５０５Ｃが大きく位置ずれすることが防止されるため、遊技球Ｐを安定して案内することができる。
【００８８】
また、内レール５０１は、右側方に遊技領域１０、左側方に発射球通路４０１を形成するレール部材、つまり、一側方からしか遊技球Ｐが接触しない第１外レール５０２や第２外レール５０３とは異なり、両側方から遊技球Ｐが接触して破損しやすいレール部材であるため、上記のように非固定部５０５Ａ〜５０５Ｃが撓むことにより衝撃が吸収されることで内レール５０１の破損をより好適に抑制できる。
【００８９】
また、熱等により内レール５０１の合成樹脂材が劣化して突部５０７Ａ〜５０７Ｆの根元近傍が変形した際においても、突部５０７Ａ〜５０７Ｆの側端面と凹部２０７Ａ〜２０７Ｆの内周面との間に空隙Ｓが形成されていることで、突部５０７Ａ〜５０７Ｆに負荷が掛からず突部５０７Ａ〜５０７Ｆの破損を防止できる。
【００９０】
また、突部５０７Ａ〜５０７Ｆは、凹部２０７Ａ〜２０７Ｆにより盤面板２００の内側に配置されるため、突部５０７Ａ〜５０７Ｆを係止させるための被当接部を盤面板２００の外側（遊技盤面２００Ａ上）に特段形成する必要がない。つまり、被当接部が遊技球Ｐの流下に影響を与えることがない。さらに、突部５０７Ａ〜５０７Ｆの側端面と凹部２０７Ａ〜２０７Ｆの内周面との摺接により発生する粉塵が極力遊技盤面２００Ａに露見しないようにできる。
【００９１】
また、本実施例では、内レール５０１において最も撓曲変形しやすい非固定部５０５Ａに設けられた突部５０７Ｃ〜５０７Ｅが挿入される凹部２０７Ｃ〜２０７Ｅは、固定部５０４Ｔ，５０４Ｕ近傍に設けられた突部５０７Ａ，５０７Ｂ，５０７Ｅが挿入される凹部２０７Ａ，２０７Ｂ，２０７Ｅに比べ大径に形成されているとともに、突部５０７Ａ，５０７Ｂ，５０７Ｅは、凹部２０７Ａ，２０７Ｂ，２０７Ｅの右側に寄せて配置されているため、非固定部５０５Ａの発射球通路４０１側への移動量を大きくとることができる。これにより、内レール５０１の破損を確実に抑制できる。
【００９２】
また、内レール５０１を盤面板２００に取付けた状態において、突部５０７Ａ〜５０７Ｆの側端面と凹部２０７Ａ〜２０７Ｆの内周面との間に空隙Ｓが形成されるため、凹部２０７Ａ〜２０７Ｆに対して突部５０７Ａ〜５０７Ｆを挿入し易い。
【００９３】
また、突部５０７Ａ〜５０７Ｆが凹部２０７Ａ〜２０７Ｆに挿入される構造であるため、突部５０７Ａ〜５０７Ｆの側端面が凹部２０７Ａ〜２０７Ｆの内周面に当接することにより、非固定部５０５Ａが大きく位置ずれすることが防止される。つまり、突部５０７Ａ〜５０７Ｆが凹部２０７Ａ〜２０７Ｆ内に挿入されているため、突部５０７Ａ〜５０７Ｆの移動範囲が凹部２０７Ａ〜２０７Ｆ内に収まり、非固定部５０５Ａが大きく位置ずれすることが確実に防止される。
【００９４】
また、本実施例では、突部５０７Ａ〜５０７Ｆよりも強度の高い内レール５０１の立壁部５１３が第３誘導部材ユニット３０２に当接可能であるため、遊技領域１０内に設けられる構造物である第３誘導部材ユニット３０２を利用して非固定部５０５Ａの撓曲変形を安定して規制できる。
【００９５】
尚、本実施例では、突部５０７Ｅが第３誘導部材ユニット３０２の近傍に設けられている形態について例示したが、本発明はこれに限定されるものではなく、第３誘導部材ユニット３０２を利用して非固定部５０５Ａの撓曲変形を規制できるため、第３誘導部材ユニット３０２の近傍に突部を設けなくてもよい。これによれば、突部を減らす、または無くすことができるので、内レール５０１の構造を極めて簡素化できる。
【００９６】
また、本実施例では、立壁部５１３と第３誘導部材ユニット３０２との間に空隙（離間寸法Ｌ５）が形成されるとともに、ファール球Ｐ１が非固定部５０５Ａに衝突することで立壁部５１３が第３誘導部材ユニット３０２に当接するため、立壁部５１３が常に第３誘導部材ユニット３０２に当接しないので、摩耗による劣化を抑制できる。
【００９７】
また、第３誘導部材ユニット３０２は、内レール５０１を取外さなくても盤面板２００から取外すことができるため、容易に交換することができる。
【００９８】
また、内レール５０１は、非固定部５０５Ａと該非固定部５０５Ａよりも強度が高い非固定部５０５Ｂ，５０５Ｃ、固定部５０４Ｔ，５０４Ｕとを少なくとも有するため、固定部５０４Ｔ，５０４Ｕや非固定部５０５Ａ〜５０５Ｃに応じた強度を持たせることができる。従って、非固定部５０５Ａに対して、固定部５０４Ｔ，５０４Ｕに近い非固定部５０５Ｂ，５０５Ｃよりも可撓性を大きく持たせて、耐衝撃性を向上させることができる。
【００９９】
また、内レール５０１における突部５０７Ａ〜５０７Ｆの周囲には、溝部５０９がそれぞれ形成されているため、突部５０７Ａ〜５０７Ｆの側端面と凹部２０７Ａ〜２０７Ｆの内周面との接触によって生じる粉や屑等が溝部５０９内に入り込み、これにより周囲に飛散しにくくなる。
【０１００】
以上、本発明の実施例を図面により説明してきたが、本発明はこの実施例に限定されるものではなく、本発明の主旨を逸脱しない範囲における変更や追加があっても本発明に含まれることは言うまでもない。
【０１０１】
前記実施例では、レール部材として内レール５０１を例示し、内レール５０１の非固定部５０５Ａ〜５０５Ｃに突部５０７Ａ〜５０７Ｆが形成された形態について説明したが、本発明はこれに限定されるものではなく、第１外レール５０２や第２外レール５０３の非固定部にも当接部を設けてもよい。
【０１０２】
また、前記実施例では、非固定部５０５Ａ〜５０５Ｃと突部５０７Ａ〜５０７Ｆとが射出成形により一体的に形成される形態を例示したが、本発明はこれに限定されるものではなく、非固定部５０５Ａ〜５０５Ｃと突部５０７Ａ〜５０７Ｆとが着脱可能に別体になっていてもよい。
【０１０３】
また、前記実施例では、突部５０７Ｃ〜５０７Ｅは、凹部２０７Ｃ〜２０７Ｅの右側に寄せて配置されている形態について例示したが、本発明はこれに限定されるものではなく、例えば、突部５０７Ｃ〜５０７Ｅを凹部２０７Ｃ〜２０７Ｅの中央に配置してもよい。つまり、凹部２０７Ａ〜２０７Ｆに対する突部５０７Ａ〜５０７Ｆの位置等は、遊技球が衝突する方向や強さ等に合わせて自由に設定してよい。尚、突部５０７Ａ〜５０７Ｆの大きさ（直径）や内レール５０１に対する位置、または突部５０７Ａ〜５０７Ｆの側端面と凹部２０７Ａ〜２０７Ｆの内周面との間に形成される空隙の大きさ等も自由に設定してよい。
【０１０４】
また、前記実施例では、突部５０７Ａ〜５０７Ｆの側端面と凹部２０７Ａ〜２０７Ｆの内周面との間に中空の空隙Ｓが形成されていたが、本発明はこれに限定されるものではなく、空隙Ｓに緩衝材などを充填して突部５０７Ａ〜５０７Ｆにかかる負荷を減らすとともに、突部５０７Ａ〜５０７Ｆの側端面と凹部２０７Ａ〜２０７Ｆの内周面との摺接による粉塵を減らしてもよい。
【０１０５】
また、前記実施例では、内レール５０１の非固定部５０５Ａ〜５０５Ｃに突部５０７Ａ〜５０７Ｆが形成され、盤面板２００に凹部２０７Ａ〜２０７Ｆが形成された形態について説明したが、本発明はこれに限定されるものではなく、非固定部５０５Ａ〜５０５Ｃに凹部を設け、盤面板２００に突部を設けてもよい。また、凹部は、有底のスリットや貫通孔等であっても構わない。
【０１０６】
また、前記実施例では、突部５０７Ａ〜５０７Ｆは、強度を持たせるために平面視略十字形状を成していたが本発明はこれに限定されるものではなく、円柱状や断面矩形の柱状、球形状等であっても構わない。
【０１０７】
また、前記実施例では、突部５０７Ａ〜５０７Ｆを当接部とし、凹部２０７Ａ〜２０７Ｆを被当接部とする形態と、内レール５０１の立壁部５１３を当接部とし、第３誘導部材ユニット３０２を被当接部とする形態と、を例示したが、本発明はこれに限定されるものではなく、いずれか一方のみの形態を備えていればよい。また、構造物として、第３誘導部材ユニット３０２を例示したが、構造物は内レール５０１の近傍に設けられる釘や一般入賞口を構成する部材等であってもよい。
【０１０８】
また、前記実施例では、内レール５０１の係止爪５０１ａの正面側から、ラベル貼付部５２０を有する第２外レール５０３の係止溝５０３ａを係止させることで、レール部材である内レール５０１を取外さなくても第２外レール５０３を盤面板２００から取外すことができる形態について例示したが、本発明はこれに限定されるものではなく、例えば、ラベル貼付部５２０を有する第２外レール５０３の係止溝５０３ａの正面側から内レール５０１の係止爪５０１ａを係止させることで、レール部材である内レール５０１を取外さなければ第２外レール５０３を盤面板２００から取外すことができないようにしてもよい。つまり、第３誘導部材ユニット３０２などの第１構造物については、内レール５０１を取外さなくても盤面板２００から容易に取外して交換することができるようにする一方で、不正の対象となるラベルが貼付されるラベル貼付部５２０を有する第２外レール５０３など取外しを困難化したい第２構造物については、レール部材を利用して盤面板２００から取外すことを困難化することで、不正なラベルが貼付された第２外レールに交換されてしまうことを抑制できる。
【０１０９】
尚、前記実施例では、盤面板２００がアクリル樹脂、ポリカーボネート樹脂、メタクリル樹脂等の透光性を有する合成樹脂材により形成される形態を例示したが、本発明はこれに限定されるものではなく、盤面板はベニヤ等の木材により形成されてもよい。盤面板がベニヤ製の場合であっても、凸部５１０が遊技盤面に当接するので、遊技盤面と内レール５０１との摩擦により盤面板から木屑等が発生することを抑制できる。
【０１１０】
また、前記実施例では、内レール５０１の長手方向両端近傍に固定部５０４Ｔ，５０４Ｕが設けられ、固定部５０４Ｔ，５０４Ｕ間に非固定部５０５Ａが設けられ、固定部５０４Ｔ，５０４Ｕよりも外側に非固定部５０５Ｂ，５０５Ｃが設けられた形態について例示したが、本発明はこれに限定されるものではなく、固定部以外の部位が非固定部となっており、且つ非固定部の可撓性が固定部よりも高ければ、固定部及び非固定部の場所や数は自由に設定してもよい。尚、固定部も可撓性を有していてもよい。
【０１１１】
また、前記実施例では、構造物に当接する当接部として内レール５０１の立壁部５１３を例示したが、本発明はこれに限定されるものではなく、フランジ部等の内レールにおける他の部位でもよい。
【０１１２】
また、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【符号の説明】
【０１１３】
１                  パチンコ遊技機
５０１              内レール
５０４Ｔ，５０４Ｕ  固定部
５０５Ａ，５０５Ｂ，５０５Ｃ  非固定部
５０６Ｔ，５０６Ｕ  ネジ孔
５０７Ａ〜５０７Ｆ  突部
５０９              溝部
５１０              凸部
５１１              小穴
５１２              フランジ部
５１３              側壁部
【図１】
2018186868.tif 000003
【図２】
2018186868.tif 000004
【図３】
2018186868.tif 000005
【図４】
2018186868.tif 000006
【図５】
2018186868.tif 000007
【図６】
2018186868.tif 000008
【図７】
2018186868.tif 000009
【図８】
2018186868.tif 000010
【図９】
2018186868.tif 000011
【図１０】
2018186868.tif 000012
【図１１】
2018186868.tif 000013
【図１２】
2018186868.tif 000014
【図１３】
2018186868.tif 000015